(57)【要約】【課題】吊り下げ片を切り起こした場合でも美観が損なわれない包装用箱を提供する。【解決手段】本発明に係る包装用箱は、１枚のブランクシートから一体的に打ち抜かれた箱体形成片１により、各面が矩形の六面体形状に形成され、４つの側面１ａ，１ｂ，１ｃ，１ｄと、これらの側面のうちの１つの側面１ａの端部に延出形成された蓋片３ａと、吊り下げ片２と、を備えており、吊り下げ片２は、蓋片３ａが形成された側面１ａに、蓋片３ａとの境界線を支点として切り起こすことができるようにして形成されている一方、蓋片３ａからさらに延出し、蓋片３ａの内面側に向けて折り曲げられる補助片４をさらに備えており、この補助片４は、その一部４ｃが側面１ａにおける吊り下げ片２が形成されている部位の内面側に重なるように形成されている。【選択図】  図４
2008013229.tif 000002
【特許請求の範囲】
【請求項１】
１枚のブランクシートから一体的に打ち抜かれた箱体形成片により、各面が矩形の六面体形状に形成され、４つの側面と、これらの側面のうちの１つの側面の端部に延出形成された蓋片と、吊り下げ片と、を備えた包装用箱であって、
上記吊り下げ片は、上記蓋片が形成された上記側面に、上記蓋片との境界線を支点として切り起こすことができるようにして形成されている一方、上記蓋片からさらに延出し、上記蓋片の内面側に向けて折り曲げられる補助片をさらに備えており、この補助片は、その一部が上記側面における上記吊り下げ片が形成されている部位の内面側に重なるように形成されていることを特徴とする、包装用箱。
【請求項２】
上記補助片は、その内面側が上記蓋片の内面側と対向するように、上記補助片と上記蓋片との境界線に沿って折り曲げられ、この折り曲げられた上記補助片が上記蓋片と上記側面の端部との境界において、上記側面の内面側に重なって位置するように、さらに折り曲げられている、請求項１に記載の包装用箱。
【請求項３】
上記補助片における上記側面の内面側に重なって位置する部位は、外面側が上記側面における上記吊り下げ片が形成されている部位の内面側に対向するように、さらに折り曲げられている、請求項２に記載の包装用箱。
【発明の詳細な説明】
【技術分野】
【０００１】
本発明は、たとえば商品などを収納し、店頭でフックなどに吊り下げて陳列する吊り下げ片が一体に設けられている包装用箱に関する。
【背景技術】
【０００２】
このような包装用箱としては、たとえば特許文献１に記載されているものがある。同文献に示されている包装用箱Ｘを図７および図８に示す。この包装用箱Ｘは、１枚のブランクシートから一体的に打ち抜かれて組み立てられる商品を納めるための箱体である。図７および図８に示されるように、この包装用箱Ｘは、この箱体を形成する４つの側面と、箱体の上部に形成された蓋片９３と、売り場などに設けられたレールなどに吊り下げるための吊り下げ片９２とを備えている。吊り下げ片９２は、蓋片９３が延出する側面と対向する側面９１から切り起こすように形成されている。この吊り下げ片９２が切り起こされる側面９１からは補助片９４が延出しており、この補助片９４は、内側に向けて折り曲げられ、側面９１における吊り下げ片９２が形成される部分の内面側に重ねられている。このため、吊り下げ片９２を側面９１から切り起こしても、包装用箱Ｘの内部が露出することはない。
【０００３】
しかしながら、このような包装用箱Ｘにおいては、蓋片９３を、上記のように折り曲げ、かつ側面９１の内面側に位置する補助片９４に連結するようにして組み立てねばならず、その作業が煩雑化するという問題があった。
【０００４】
このような包装用箱Ｘに使用されるブランクシートは、一般的に表と裏とで外観や質感が異なっていることが多い。また、色彩を含めた印刷は、ブランクシートの表面側にのみ施される。このため、たとえば、包装用箱Ｘの外側がブランクシートの表側となる場合、吊り下げ片９２を起こすことで側面９１に生じる開口から露出する補助片９４の面はブランクシートの裏側の非印刷面となるので、見た目の統一感が失われ、美観を損なうことがあった。
【０００５】
【特許文献１】特開２００１−２３３３２７号公報
【発明の開示】
【発明が解決しようとする課題】
【０００６】
本発明は上記の事情によって考え出されたものであり、吊り下げ片を切り起こした場合でも美観が損なわれない包装用箱を提供することを課題としている。
【課題を解決するための手段】
【０００７】
上記の課題を解決するため、本発明では、次の技術的手段を採用した。
【０００８】
本発明によって提供される包装用箱は、１枚のブランクシートから一体的に打ち抜かれた箱体形成片により、各面が矩形の六面体形状に形成され、４つの側面と、これらの側面のうちの１つの側面の端部に延出形成された蓋片と、吊り下げ片と、を備えた包装用箱であって、上記吊り下げ片は、上記蓋片が形成された上記側面に、上記蓋片との境界線を支点として切り起こすことができるようにして形成されている一方、上記蓋片からさらに延出し、上記蓋片の内面側に向けて折り曲げられる補助片をさらに備えており、この補助片は、その一部が上記側面における上記吊り下げ片が形成されている部位の内面側に重なるように形成されていることを特徴とする。
【０００９】
このような構成によると、上記吊り下げ片を切り起こしたときに、上記吊り下げ片が切り抜かれて生じる開口を、上記側面の内面側から上記補助片によって覆うことができ、包装用箱の内部が露出することがない。
【００１０】
また、上記蓋片は、補助片と重合状態となって一体化されているので、この蓋片が形成される側面と反対側の側面に形成された他の蓋片と重ね合わせ接合することにより、作業を煩雑化させることなく、組み立てることができる。
【００１１】
好ましい実施の形態においては、上記補助片は、その内面側が上記蓋片の内面側と対向するように、上記補助片と上記蓋片との境界線に沿って折り曲げられ、この折り曲げられた上記補助片が上記蓋片と上記側面の端部との境界において、上記側面の内面側に重なって位置するように、さらに折り曲げられている。より好ましくは、上記補助片における上記側面の内面側に重なって位置する部位は、外面側が上記側面における上記吊り下げ片が形成されている部位の内面側に対向するように、さらに折り曲げられている。
【００１２】
このような構成によれば、上記側面の上記吊り下げ片が切り抜かれた後に生じる開口に臨む上記補助片の面が、上記側面と同じ、ブランクシートの外面側の面となる。このため、この包装用箱を店頭でフックなどに吊り下げて販売する際に、ブランクシートの内面側が露出するということはなく、外観の統一性を保つことができる。
【００１３】
本発明のその他の特徴および利点は、図面を参照して以下に行う詳細な説明から、より明らかとなろう。
【発明を実施するための最良の形態】
【００１４】
以下、本発明の好ましい実施の形態を、図面を参照しつつ具体的に説明する。
【００１５】
本発明に係る包装用箱の第１実施形態を図１〜図４に示す。図１は、包装用箱Ａ１をレールＲに吊り下げた状態での斜視図、図２は図１のII-II線に沿う断面図、図３は図２の要部拡大図、図４は１枚の紙製等のブランクシートから一体的に打ち抜かれた箱体形成片１を示しており、図の正面を表面側とし、その反対側を裏面側とする。
【００１６】
包装用箱Ａ１は、箱体形成片１を組み立てて形成される。図４に示すように、箱体形成片１は、各面が矩形の六面体形状の包装用箱Ａ１を形成することができるように、４つの側面１ａ，１ｂ，１ｃ，１ｄと、吊り下げ片２と、蓋片３ａ，３ｂ，３ｃ，３ｄと、補助片４と、糊付け片５と、フラップ６ａ，６ｂ，６ｃ，６ｄと、切り込み７と、封切り線８とを備えて構成されている。
【００１７】
側面１ａ，１ｂ，１ｃ，１ｄは、箱体形成片１においては一体的に連接されており、組み立て時には包装用箱Ａ１の４つの側面となる。側面１ａ，１ｃは組み立て状態において互いに対向する同型の長方形であり、側面１ｂ，１ｄもまた、組み立て状態において互いに対向する同型で、先の長方形とは異なる別の長方形である。側面１ａには、糊付け片５が連接されており、組み立て時には、この糊付け片５の表面側に糊が塗られ、側面１ｄの裏面と糊付けされる。組み立て状態においては、各側面１ａ，１ｂ，１ｃ，１ｄは、互いに直交して隣接する。側面１ａおよび側面１ｃの上端および下端からは、蓋片３ａ，３ｃおよび蓋片３ｂ，３ｄがそれぞれ延出している。また、同じ方向に向けて、側面１ｂおよび側面１ｄからの上端および下端からは、フラップ６ａ，６ｃおよびフラップ６ｂ，６ｄがそれぞれ延出している。
【００１８】
吊り下げ片２は、側面１ａにおいて、この側面１ａと蓋片３ａとの境界線を支点として、ミシン目２ｂにそって切り起こすことができるようにして形成されている。この吊り下げ片２には、その中央部に吊り下げ孔２ａが形成されている。図１に示すように、この吊り下げ片２を切り起こし、陳列用のレールＲに吊り下げ孔２ａを通すことにより、包装用箱Ａ１をレールＲに吊り下げることができる。この吊り下げ片２を切り起こすと、側面１ａに開口１ｅが形成される。また、この吊り下げ片２を切り起こさずにおくことで、吊り下げ用ではない包装用箱としても併用することができる。
【００１９】
蓋片３ａ，３ｂ，３ｃ，３ｄおよびフラップ６ａ，６ｂ，６ｃ，６ｄは、組み立て時には、側面１ａ，１ｂ，１ｃ，１ｄと直交するように折り曲げられ、適所を糊付けすることで包装用箱Ａ１を閉塞するように構成されている。このため、包装用箱Ａ１は、内部に商品を収納することができる。
【００２０】
補助片４は、蓋片３ａから延出されており、蓋片３ａに近い順から第１部分４ａ、第２部分４ｂ、第３部分４ｃの３つの部分によって形成されている。図３に示すように、組み立て時には、第１部分４ａは、その裏面側が蓋片３ａの裏面側と糊付けされるように折り曲げられている。さらに、第１部分４ａの表面側は、蓋片３ｂと糊付けされている。この第１部分４ａと直交する方向に第２部分４ｂは折り曲げられている。第３部分４ｃは、その裏面側が第２部分４ｂの裏面側と接するように折り曲げられており、この第３部分４ｃの表面が、側面１ａの裏面側と当接している。この第３部分４ｃが側面１ａと当接する範囲の中に、吊り下げ片２ないし開口１ｅが形成される部分が含まれている。
【００２１】
図４によく表れているように、側面１ａには、この側面１ａに形成された吊り下げ片２と隣接するように形成された２本の平行な切り込み７が形成されている。この切り込み７の間に挟まれる部分を側面１ａの内側に向けて押し込むと、吊り下げ片２を切り起こしやすくなる。
【００２２】
封切り線８は、箱体内に収納された商品を取り出すために開封するために形成された、ミシン目状の切込みである。包装用箱Ａ１を開封するときには、この封切り線８と蓋片３ｂとの間を手の指で外側から押し込んで、封切り線８を切断する。封切り線８を切断すると、蓋片３ｂを側面１ｃから切り離すことができ、糊付けされて一体となっている蓋片３ｂと蓋片３ａとを開くことにより、包装用箱Ａ１の中身を取り出すことができる。
【００２３】
次に、このような包装用箱Ａ１の作用について、説明する。
【００２４】
上記のような構成の包装用箱Ａ１においては、吊り下げ片２を切り起こした際に、側面１ａに形成される開口１ｅから臨む面が補助片４の第３部分４ｃの表面側となる。このため、包装用箱Ａ１は吊り下げ片２を切り起こしても、外から見える面はすべてブランクシートの同じ側の面となる。したがって、上記第３部分の表面側に、他の部分と同色の着色印刷をしておく等することにより、包装用箱Ａ１は外観の統一感が保たれるので包装用箱としての美観に優れている。
【００２５】
本発明に係る包装用箱の第２実施形態を図５および図６に示す。図５は、包装用箱Ａ２の開封した状態での斜視図、図６は、包装用箱Ａ２を形成する箱体形成片１の平面図である。
【００２６】
この包装用箱Ａ２は、包装用箱Ａ１と開封方法が異なる以外は同様の構成であり、包装用箱Ａ１の各構成要素に加え、折れ線９ａ，９ｂ，９ｃと、支持片１０とを備えている。また、包装用箱Ａ１を開封するための封切り線８が、側面１ｂ，１ｃ，１ｄにまたがって形成されている。
【００２７】
折れ線９ａは、糊付け片５と側面１ｂとの間を結ぶように延びる、側面１ａに形成された折り目である。包装用箱Ａ２は包装用箱Ａ１と同様に補助片４を備えており、側面１ａと重なる補助片４ｂ，４ｃにはそれぞれ折れ線９ｂ，９ｃが形成されている。これらの折れ線９ｂ，９ｃは、折れ線９ａと重なる位置に形成されている。
【００２８】
支持片１０は、糊付け片５から延出しており、組み立てられた状態では、側面１ａおよび糊付け片５とあわせて包装用箱Ａ２内の内容物を抱持するように構成されている。この支持片１０によって内容物が抱持されているので、包装用箱Ａ２を開封した際に、内容物がこぼれるのを防ぐことができる。
【００２９】
包装用箱Ａ２は、たとえば、タバコやスティック状の医薬品を収納するのに適した箱であり、側面１ｂ，１ｃ，１ｄに形成された切り込み線８を切り離し、折れ線９ａ，９ｂ，９ｃに沿って折り曲げることで開封することができる。この包装用箱Ａ２は、包装用箱Ａ１と同様の補助片４を備えているので、吊り下げ片２を切り起こした場合でも、包装用箱Ａ１と同様に包装用箱としての美観を保つことができる。
【００３０】
本発明に係る包装用箱は、上述した実施形態に限定されるものではない。たとえば、箱の開封方法などに関しては、上記の方法以外にも様々な形態が考えられる。また、箱体形成片を組み立てる際の、各蓋片および各フラップの重ね方なども、包装用箱として機能する範囲内で自在に変更可能である。さらに、吊り下げ片の形状も、フック状にするなど、様々な形態が考えられる。
【図面の簡単な説明】
【００３１】
【図１】本発明の第１実施形態に係る包装用箱の斜視図を示している。
【図２】図１のII-II線に沿う断面図である。
【図３】図２の吊り下げ片付近を拡大して示した図である。
【図４】図１に示す包装用箱を形成する箱体形成片の平面図である。
【図５】本発明の第２実施形態に係る包装用箱の斜視図を示している。
【図６】図５に示す包装用箱を形成する箱体形成片の平面図である。
【図７】従来の包装用箱の斜視図ある。
【図８】従来の包装用箱の吊り下げ片付近における断面図である。
【符号の説明】
【００３２】
Ａ１，Ａ２                包装用箱
Ｒ                        レール
１                        箱体形成片
１ａ，１ｂ，１ｃ，１ｄ    側面
１ｅ                      開口
２                        吊り下げ片
２ａ                      吊り下げ孔
２ｂ                      ミシン目
３ａ，３ｂ，３ｃ，３ｄ    蓋片
４                        補助片
５                        糊付け片
６ａ，６ｂ，６ｃ，６ｄ    フラップ
７                        切り込み
８                        封切り線
９ａ，９ｂ，９ｃ          折れ線
１０                      支持片
【図１】
2008013229.tif 000003
【図２】
2008013229.tif 000004
【図３】
2008013229.tif 000005
【図４】
2008013229.tif 000006
【図５】
2008013229.tif 000007
【図６】
2008013229.tif 000008
【図７】
2008013229.tif 000009
【図８】
2008013229.tif 000010